(57)【特許請求の範囲】
【請求項１】
文書送信者のモバイルデバイスから第１サーバーに文書がアップロードされる段階；
前記第１サーバーは第２サーバーに前記アップロードされた文書を転送する段階；
前記第２サーバーは前記転送された文書をＨＴＭＬ形式に変換して前記変換された文書の第１ウェブアドレスを前記文書送信者のモバイルデバイスおよび少なくとも一つの文書受信者モバイルデバイス上に実行されたモバイルメッセンジャーに送付する段階；及び
前記第１サーバーに文書がアップロードされると、前記第１サーバーは前記アップロードされた文書に対応する第２ウェブアドレスを生成する段階を含む、
モバイルメッセンジャー上の文書共有方法。
【請求項２】
前記第１サーバーに文書がアップロードされる段階は、
前記文書送信者のモバイルデバイスのモバイルメッセンジャー上に文書がアップロードされると、前記第１サーバーにアップロードされる段階である、請求項１に記載のモバイルメッセンジャー上の文書共有方法。
【請求項３】
前記第１ウェブアドレスにリンクされる文書は第２サーバーで追加されたヒストリーファイルを含む、請求項１に記載のモバイルメッセンジャー上の文書共有方法。
【請求項４】
前記ヒストリーファイルは前記変換された文書に対して編集がなされたことを示す編集情報を含む、請求項３に記載のモバイルメッセンジャー上の文書共有方法。
【請求項５】
前記編集情報は編集時間または編集主体別に羅列された目録を含む、請求項４に記載のモバイルメッセンジャー上の文書共有方法。
【請求項６】
送信者デバイスまたは受信者デバイスのうち少なくとも一つから前記送付を受けた第１ウェブアドレスへのアクセス要請がある場合、前記第２サーバーで前記第１ウェブアドレスにリンクされる文書を転送する段階をさらに含む、請求項３に記載のモバイルメッセンジャー上の文書共有方法。
【請求項７】
前記送付する段階は、前記変換された文書にヒストリーファイルを追加して第２サーバーに保存し、前記保存された文書に対応する第１ウェブアドレスを送付する段階を含む、請求項１に記載のモバイルメッセンジャー上の文書共有方法。
【請求項８】
前記第１ウェブアドレスにリンクされる文書を転送する段階は、
前記ヒストリーファイルを構成する複数の目録のうち送信者デバイスまたは受信者デバイスのうち少なくとも一つによって選択された目録に対応する文書情報と最終的に既保存された文書を組み合わせて組合わせられた文書を転送する段階を含む、請求項６に記載のモバイルメッセンジャー上の文書共有方法。
【請求項９】
文書送信者のモバイルデバイスからアップロードされた文書を保存する第１サーバー；および
前記保存された文書を前記第１サーバーから転送を受ける第２サーバーを含み、
前記第２サーバーは前記第１サーバーから転送された文書をＨＴＭＬ形式に変換して、前記変換された文書の第１ウェブアドレスを前記文書送信者のモバイルデバイスおよび少なくとも一つの受信者モバイルデバイス上に実行されたモバイルメッセンジャー上に送付し、
前記第１サーバーは、前記アップロードされた文書に対応する第２ウェブアドレスを生成する、
モバイルメッセンジャー上の文書共有システム。
【請求項１０】
前記第１ウェブアドレスにリンクされた文書は前記第２サーバーで追加されたヒストリーファイルを含む、請求項９に記載のモバイルメッセンジャー上の文書共有システム。
【請求項１１】
前記ヒストリーファイルは前記変換された文書に対する編集情報を含む、請求項１０に記載のモバイルメッセンジャー上の文書共有システム。
【請求項１２】
前記編集情報は編集主体、編集時間、または編集位置中の少なくとも一つを含む、請求項１１に記載のモバイルメッセンジャー上の文書共有システム。
【請求項１３】
前記第２サーバーは前記第１ウェブアドレスへのアクセス要請がある場合、前記第１ウェブアドレスにリンクされる文書を前記アクセス要請の主体に転送する、請求項９に記載のモバイルメッセンジャー上の文書共有システム。
【請求項１４】
前記第２サーバーは前記変換された文書とヒストリーファイルを共に保存し、共に保存された文書ファイルに対応する第１ウェブアドレスを送付する、請求項９に記載のモバイルメッセンジャー上の文書共有システム。
【発明の詳細な説明】
【技術分野】
【０００１】
本発明はモバイルメッセンジャー上にて使用者同士で文書を共有し、それによって、すぐにモバイルメッセンジャー上にて修正して共有が可能なモバイルメッセンジャー上の文書共有方法およびシステムに関するものである。
【背景技術】
【０００２】
メッセンジャーシステムで文書ファイルを共有し、コミュニケーションするためには一人が文書ファイルをメッセンジャーにアップロードすると、修正を望む他人は該当文書ファイルをダウンロードして修正した後、再びメッセンジャーにアップロードしなければならない。また、最初に文書ファイルをメッセンジャーにアップロードした人は再び修正された文書ファイルをダウンロードして保存した後閲覧しなければならない。
【０００３】
このような場合、アップロードとダウンロードが繰り返されるにつれて保存された文書ファイルの個数が増えて混同が発生し、管理が難しくなる問題点がある。また、文書ファイルの共有過程で他人のダウンロードを防止することができなくなり、保安上の問題点も存在する。
【０００４】
現在、モバイル環境で文書を編集できるオフィスアプリケーションが存在しているが、存在しているアプリケーションは多くの資源とメモリーを必要とし、簡単な編集が必要な場合にもこのような多くの資源とメモリーを必要とするアプリケーションをダウンロードして実行させて編集しなければならないのが実情である。
【先行技術文献】
【特許文献】
【０００５】
【特許文献１】韓国公開特許第１０−２０１１−００１７６９４号公報
【発明の概要】
【発明が解決しようとする課題】
【０００６】
本発明の目的はモバイルメッセンジャー上にて使用者同士で文書を共有し、それによりすぐにモバイルメッセンジャー上にて修正して共有が可能なモバイルメッセンジャー上の文書共有方法およびシステムを提供することである。
【課題を解決するための手段】
【０００７】
本発明の実施例に係るモバイルメッセンジャー上の文書共有方法は、文書送信者のモバイルデバイスから第１サーバーに文書がアップロードされる段階、前記第１サーバーは第２サーバーに前記アップロードされた文書を転送する段階および前記第２サーバーは前記転送された文書をＨＴＭＬ形式に変換して前記変換された文書の第１ウェブアドレスを前記文書送信者のモバイルデバイスおよび少なくとも一つの文書受信者モバイルデバイス上に実行されたモバイルメッセンジャーに送付する段階を含む。
【０００８】
前記第１サーバーに文書がアップロードされる段階は前記文書送信者のモバイルデバイスのモバイルメッセンジャー上に文書がアップロードされると、前記第１サーバーにアップロードされる段階である。
【０００９】
一方、本発明に係るモバイルメッセンジャー上の文書共有方法は前記第１サーバーに文書がアップロードされると、前記第１サーバーは前記アップロードされた文書に対応する第２ウェブアドレスを生成する段階をさらに含む。
【００１０】
前記第１ウェブアドレスにリンクされる文書は第２サーバーで追加されたヒストリーファイルを含むことが好ましい。
【００１１】
前記ヒストリーファイルは前記変換された文書に対して編集がなされたことを示す編集情報を含む。
【００１２】
前記編集情報は編集時間または編集主体別に羅列された目録を含むことが好ましい。
【００１３】
一方、本発明に係るモバイルメッセンジャー上の文書共有方法は送信者デバイスまたは受信者デバイスのうち少なくとも一つから前記送付を受けた第１ウェブアドレスへのアクセス要請がある場合、前記第２サーバーで前記第１ウェブアドレスにリンクされる文書を転送する段階をさらに含む。
【００１４】
前記送付する段階は、前記変換された文書にヒストリーファイルを追加して第２サーバーに保存し、前記保存された文書に対応する第１ウェブアドレスを送付する段階を含むことが好ましい。
【００１５】
前記第１ウェブアドレスにリンクされる文書を転送する段階は、前記ヒストリーファイルを構成する複数の目録のうち送信者デバイスまたは受信者デバイスのうち少なくとも一つによって選択された目録に対応する文書情報と最終的に既保存された文書を組み合わせて組合わせられた文書を転送する段階を含むことができる。
【００１６】
本発明の実施例に係るモバイルメッセンジャー上の文書共有システムは、文書送信者のモバイルデバイスからアップロードされた文書を保存する第１サーバーおよび前記保存された文書を前記第１サーバーから転送を受ける第２サーバーを含み、前記第２サーバーは前記第１サーバーから転送された文書をＨＴＭＬ形式に変換して、前記変換された文書の第１ウェブアドレスを前記文書送信者のモバイルデバイスおよび少なくとも一つの受信者モバイルデバイス上に実行されたモバイルメッセンジャー上に送付する。
【００１７】
前記第１サーバーは、前記アップロードされた文書に対応する第２ウェブアドレスを生成する。
【００１８】
前記第１ウェブアドレスにリンクされた文書は前記第２サーバーで追加されたヒストリーファイルを含む。
【００１９】
前記ヒストリーファイルは前記変換された文書に対する編集情報を含むことが好ましい。
【００２０】
前記編集情報は編集主体、編集時間、または編集位置中の少なくとも一つを含む。
【００２１】
前記第２サーバーは前記第１ウェブアドレスへのアクセス要請がある場合、前記第１ウェブアドレスにリンクされる文書を前記アクセス要請の主体に転送することができる。
【００２２】
前記第２サーバーは前記変換された文書とヒストリーファイルを共に保存し、共に保存された文書ファイルに対応する第１ウェブアドレスを送付する。
【発明の効果】
【００２３】
本発明の一実施例によれば、モバイルメッセンジャー上にて使用者間に文書を共有して、メッセンジャー上にて文書を編集し、編集された文書を再び共有して意見を交わすことができるメッセンジャー環境を造成できる効果がある。
【００２４】
前記環境は修正、編集された文書を修正、編集されるたびに保存しないで修正、編集された状態の文書を共有することができ、ヒストリー情報が含まれているため、以前に編集された状態までも選択して文書を共有できる効果がある。
【００２５】
文書の容量が増大している現実において、文書を保存しないで修正事項などを共有することができるためメモリーおよびデータの使用が少なく、保存を防止することによって文書の保安を強化できる効果がある。
【図面の簡単な説明】
【００２６】
【図１】本発明の一実施例に係るモバイルメッセンジャー上の文書共有システムに関する図面。
【図２】本発明に係るモバイルメッセンジャー上の文書共有方法に関するフローチャート。
【発明を実施するための形態】
【００２７】
本明細書または出願に開示されている本発明の実施例に対する特定の構造的ないし機能的説明は単に本発明に係る実施例を説明するための目的で例示されたものであり、本発明に係る実施例は多様な形態で実施され得、本明細書または出願に説明された実施例に限定されないものと解釈されるべきである。
【００２８】
本発明に係る実施例は多様な変更を加えることができ、多様な形態を有することができるため、特定実施例を図面に例示して本明細書または出願にて詳細に説明する。しかし、これは本発明の概念による実施例を特定の開示形態に限定しようとするものではなく、本発明の思想および技術範囲に含まれるすべての変更、均等物ないし代替物を含むものと理解されるべきである。
【００２９】
第１および／または第２などの用語は多様な構成要素の説明に使用され得るが、前記構成要素は前記用語によって限定されてはならない。前記用語は一つの構成要素を他の構成要素から区別する目的でのみ、例えば本発明の概念による権利範囲から逸脱することなく、第１構成要素は第２構成要素と命名され得、同様に第２構成要素は第１構成要素と命名され得る。
【００３０】
ある構成要素が他の構成要素に「連結されて」いるまたは「接続されて」いると言及された時には、その他の構成要素に直接的に連結されているかまたは接続されていることもあり得るが、中間に他の構成要素が存在することもあり得ると理解されるべきである。反面、ある構成要素が他の構成要素に「直接連結されて」いるまたは「直接接続されて」いると言及された時には、中間に他の構成要素が存在しないと理解されるべきである。構成要素間の関係を説明する他の表現、すなわち「〜間に」と「すぐ〜間に」または「〜に隣り合う」と「〜に直接隣り合う」などもどうように解釈されるべきである。
【００３１】
本明細書で使用した用語は単に特定の実施例を説明するために使用されたものに過ぎず、本発明を限定しようとする意図ではない。単数の表現は文脈上明白に異なることを意味しない限り、複数の表現を含む。本明細書で、「含む」または「有する」などの用語は実施された特徴、数字、段階、動作、構成要素、部分品またはこれらを組み合わせたものが存在することを指定しようとするものであり、一つまたはそれ以上の他の特徴や数字、段階、動作、構成要素、部分品またはこれらを組み合わせたものなどの存在または付加可能性をあらかじめ排除しないものと理解されるべきである。
【００３２】
特に定義されない限り、技術的であるか科学的な用語を含めて、ここで使用されるすべての用語は本発明が属する技術分野で通常の知識を有した者によって一般的に理解されるのと同じ意味である。一般的に使用される辞書に定義されているような用語は関連技術の文脈上有する意味と一致する意味で解釈されるべきであり、本明細書で明白に定義しない限り、理想的または過度に形式的な意味に解釈されない。
【００３３】
以下、添付した図面を参照して本発明の好ましい実施例を説明することによって、本発明を詳細に説明する。各図面に提示された同じ参照符号は同じ部材を示す。
【００３４】
図１には本発明に係るモバイルメッセンジャー上の文書共有システム１０に対する図面である。図面を参照すると、前記モバイルメッセンジャー上の文書共有システム１０は文書送信者のモバイルデバイス１５からアップロードされた文書を保存する第１サーバー２０および前記保存された文書を第１サーバー２０から転送を受け、第１サーバー２０から転送された文書をＨＴＭＬ形式に変換して、変換された文書の第１ウェブアドレスを文書送信者のモバイルデバイス１５および受信者モバイルデバイス（図示されず）に送付する第２サーバー３０を含む。
【００３５】
この時、モバイルデバイス１５は文書送信者が文書を閲覧するか編集してサーバーに送信できるスマートフォン、タブレットＰＣなどの各種ウェアラブルデバイスであり得る。
【００３６】
第１サーバー２０は文書送信者が文書をアップロードする時、アップロードされた文書に対応する第２ウェブアドレスを生成する。この時、第１サーバー２０にアップロードされる文書はマイクロソフトワード文書、パワーポイント文書またはアクセル文書などのような圧縮された形式の文書ファイルであり得る。第１サーバー２０はアップロードされた文書を第２サーバー３０に転送する。第２ウェブアドレスはＵＲＬ（Ｕｎｉｆｏｒｍ  Ｒｅｓｏｕｒｃｅ  Ｌｏｃａｔｏｒ）形式で生成されることが好ましい。
【００３７】
第２サーバー３０は第１サーバー２０から文書の転送を受けて圧縮を解除して、ＨＴＭＬ（Ｈｙｐｅｒｔｅｘｔ  Ｍａｒｋｕｐ  Ｌａｎｇｕａｇｅ）５形式に変換する。第２サーバー３０は文書の変換が完了すると、変換された文書に対して割り当てた第１ウェブアドレスを文書送信者のモバイルデバイス１５および少なくとも一つの受信者モバイルデバイス上に実行されたモバイルメッセンジャー上に送付する。
【００３８】
この時、第２サーバー３０は変換された文書とヒストリーファイルを共に保存することができる。ヒストリーファイルは文書に対する編集情報を含むことができる。編集情報は文書に対する編集がなされたことに対する情報であって、編集主体、編集時間または編集位置中の少なくとも一つを含むことができる。また、編集情報は編集時間または編集主体別に羅列された目録とこのような目録に対応する文書情報を含む。一方、このような第１ウェブアドレスはＵＲＬ（Ｕｎｉｆｏｒｍ  Ｒｅｓｏｕｒｃｅ  Ｌｏｃａｔｏｒ）形式で生成され得る。
【００３９】
第２サーバー３０は第１ウェブアドレスへのアクセス要請がある場合、第１ウェブアドレスにリンクされる文書をアクセス要請の主体すなわち、文書送信者または受信者のモバイルデバイス１５に転送する。この時、第１ウェブアドレスにリンクされた文書は第２サーバー３０で追加されたヒストリーファイルが含まれている。
【００４０】
また、第２サーバー３０はヒストリーファイルを構成する複数の編集情報目録のうち送信者デバイス１５または受信者デバイスの中の一つによって選択された目録に対応する文書情報と最終的に既保存された文書を組み合わせて組合わせられた文書を送信者デバイス１５または受信者デバイスの中の一つに転送する。送信者または受信者が以前に自分あるいは他人が編集した編集内容を閲覧することを望む場合、ヒストリーファイルに含まれた目録のうち望む項目を選択して第２サーバー３０に要請すると、第２サーバー３０は最終文書とともに選択された項目に対応する編集情報を組み合わせて送信者デバイス１５または受信者デバイスにあるいは送信者デバイス１５と受信者デバイスに提供する。
【００４１】
すなわち、第１サーバー２０は送信者または受信者デバイスから第２ウェブアドレスへのアクセス要請があると、第２サーバー３０はこのような要請を第１サーバー２０から受けて、編集情報目録が含まれた文書をアクセス要請者のデバイスに転送することができる。
【００４２】
第２サーバー３０はアクセス要請者のデバイスから転送された文書で編集情報目録のうちいずれか一つの項目が呼び出されると、最終保存された文書と呼び出された項目に対応する文書を組み合わせて組合わせられた文書を呼び出し者のデバイスに転送する。
【００４３】
一方、図２には本発明に係るモバイルメッセンジャー上の文書共有方法に対するフローチャートが図示されている。図２を参照すると、モバイルメッセンジャー上の文書共有方法は文書送信者のモバイルデバイス１５から第１サーバー２０に文書がアップロードされる段階（Ｓ１００）、第１サーバー２０に文書がアップロードされると、第１サーバー２０はアップロードされた文書に対応する第２ウェブアドレスを生成する段階（Ｓ２００）、第１サーバー２０は第２サーバー３０に前記アップロードされた文書を転送する段階（Ｓ３００）、第２サーバー３０は転送された文書をＨＴＭＬ形式に変換して変換された文書に対してリンクされた第１ウェブアドレスを文書送信者のモバイルデバイス１５および少なくとも一つの文書受信者モバイルデバイス上に実行されたモバイルメッセンジャーに送付する段階（Ｓ４００）、送信者デバイス１５または受信者デバイスのうち少なくとも一つから第１ウェブアドレスへのアクセス要請がある場合、第２サーバー３０から第１ウェブアドレスにリンクされる文書を転送する段階（Ｓ５００）を含むことができる。
【００４４】
第１サーバー２０に文書がアップロードされる段階（Ｓ１００）は文書送信者のモバイルデバイス１５のモバイルメッセンジャー上に文書がアップロードされると、第１サーバー２０に文書がアップロードされる段階である。第１サーバー２０にアップロードされた文書は圧縮ファイル形式のワードファイル、パワーポイントファイル、アクセルファイルなどであり得る。
【００４５】
第１サーバー２０は一旦文書がアップロードされると保存した後、アップロードされた文書に対応する第２ウェブアドレスを割り当てて送信者デバイス１５または受信者デバイスのうち少なくとも一つに転送することができる。あるいは送信者デバイス１５または受信者デバイスのうち少なくとも一つに転送しないこともある。これは後で生成される第１ウェブアドレスを転送するためである。また、第１サーバー２０は送信者デバイス１５からアップロードされて保存された文書を第２サーバー３０に転送することができる。
【００４６】
第２サーバー３０は第１サーバー２０から転送された文書の圧縮を解除した後、ＨＴＭＬ５形式に変換することができ、文書に対する編集情報があれば編集情報の目録を含むヒストリーファイルを変換された文書に追加して保存することができる。
【００４７】
第２サーバー３０は第２サーバー３０に保存された文書に割り当てられた第１ウェブアドレスを文書送信者のモバイルデバイス１５および少なくとも一つの受信者モバイルデバイス上に実行されたモバイルメッセンジャー上に送付することができる。
【００４８】
ヒストリーファイルは前述した通り、文書に対する編集情報を含む。具体的に、第２サーバー３０でＨＴＭＬ５形式に変換された文書は基本文書単位で形成されており、このような文書単位はワードファイルの場合は段落、パワーポイントファイルの場合は客体であり得る。編集情報はこのような基本文書単位のうちどのような文書単位で編集（修正、削除または保存など）がなされたかに対する情報であり得る。また、編集情報はどのような主体によってどのような時間にどのようなファイルから編集がなされたかに対する情報を含むことができる。
【００４９】
このような編集情報は編集時間または編集主体別に羅列された目録と、目録に対応する文書情報を含むことができる。
【００５０】
送信者または受信者が自分のモバイルデバイス１５を通じて第１ウェブアドレスを選択する時、第２サーバー３０は第１ウェブアドレスにリンクされる文書を送信者または受信者のモバイルデバイス１５中の少なくとも一つに転送することができる。この時、前記文書はヒストリーファイル（すなわち、編集情報目録）が含まれた文書である。第２サーバー３０は第１サーバー２０に文書を転送し、第１サーバー２０は第２サーバー３０から転送を受けた文書を送信者または受信者モバイルデバイス１５中の少なくとも一つに転送することができる。
【００５１】
また、第１ウェブアドレスにリンクされる文書を転送する段階（Ｓ５００）はヒストリーファイルを構成する複数の目録のうち送信者デバイス１５または受信者デバイスのうち少なくとも一つによって選択された目録に対応する文書情報と最終的に既保存された文書を組み合わせて組合わせられた文書を転送する段階を含むことができる。
【００５２】
例えば、送信者または受信者が自分が何日か前に編集した編集内容を閲覧することを望む場合、送信者または受信者のうち少なくとも一つは送信者または受信者のモバイルデバイス１５を通じてヒストリーファイルに含まれた目録中の該当目録を選択あるいは呼び出すことができる。このような呼び出しがあれば、第２サーバー３０は最終文書とともに要請された項目の編集情報を組み合わせて送信者または受信者に提供する。
【００５３】
すなわち、一つの第１ウェブアドレスを通じて第２サーバー３０に保存された文書を互いに共有し、編集がなされる場合にも送信者あるいは受信者デバイスに文書をダウンロードしないで編集情報からなる目録を選択することによって、自分あるいは他人がいつ編集した状態の文書を閲覧し、モバイルメッセンジャー上にて再編集することができる。
【００５４】
あわせて、このような編集情報目録は呼び出し者別に異なって提供され得る。すなわち、呼び出し者が指定したデバイスにだけ編集情報目録が含まれるようにすることができる。文書の編集者別にヒストリーファイルが別々に保存され得る。このようなヒストリーファイルはＪａｓｏｎ形態のファイルであり得る。
【００５５】
前述したように構成されたモバイルメッセンジャー上の文書共有方法およびシステム１０はモバイルメッセンジャー上にて使用者間に文書を共有して、メッセンジャー上にて文書を編集し、編集された文書を再び共有して意見を交わすことができるメッセンジャー環境を作ることができる。この時、前記環境は修正、編集された文書を修正、編集されるたびに保存しないで修正、編集された状態の文書を共有することができ、ヒストリー情報が含まれているため、以前に編集された状態までも選択して文書を共有できる効果がある。
【００５６】
以上の説明は本発明の技術思想を例示的に説明したものに過ぎず、本発明が属する技術分野で通常の知識を有した者であれば本発明の本質的な特性から逸脱しない範囲で多様な修正および変形が可能であろう。したがって、本発明に開示された実施例は本発明の技術思想を限定するためのものではなく説明するためのものであり、このような実施例によって本発明の技術思想の範囲が限定されるものではない。本発明の保護範囲は以下の特許請求の範囲によって解釈されるべきであり、それと同等な範囲内にあるすべての技術思想は本発明の権利範囲に含まれると解釈されるべきである。
【符号の説明】
【００５７】
１０    モバイルメッセンジャー上の文書共有システム
１５    送信者のモバイルデバイス
２０    第１サーバー
３０    第２サーバー
【図１】
0006318226.tif 000002
【図２】
0006318226.tif 000003